(57)【特許請求の範囲】
【請求項１】
ペットの首に巻き付けられる調整バンドと、この調整バンドの一端側に設けられた係止部材と、この係止部材近傍に位置する折返し端部に配設されて散歩などの際に使用される引き紐の端部に設けられた結合フックと連結される連結環と、前記調整バンドの他端側に設けられて前記係止部材が挿入係止される係止孔とを備え、
前記係止部材は、前記係止孔から突出する部分が回動自在に配設され、かつ、この突出する部分が挿入位置と、係止位置とで係止自在とするとともに、前記連結環には、連結された前記結合フックの遊動域を制限する規制部材を設けたことを特徴とするペット用首輪。
【請求項２】
請求項１記載のペット用首輪であって、前記係止孔を前記調整バンドの長手方向に複数備え、これら各係止孔はそれぞれが同一形状であることを特徴とするペット用首輪。
【発明の詳細な説明】
【０００１】
【発明の属する技術分野】
本発明は、犬、猫などのペット用首輪に関する。
【０００２】
【従来の技術】
ペットとして飼われている犬、猫などは散歩時に引き紐をつないだり、個体識別などの理由から首輪を装着することが従来から行われ、ペットに首輪を装着する手段が多数提案されている。
【０００３】
たとえば、登録実用新案３０５５３２０号公報に提案されている首輪は、首輪本体の長手方向一端に、引き紐係止具が設けられると共にフック部材が突設され、首輪本体の長手方向他端側に係止孔が設けられ、前記フック部材を挿入係合することにより首輪本体を環状に保持するようにしている。また、前記フック部材は、首輪本体の表面側から外方に突出した挿通部と、挿通部の突出端部から首輪本体の長手方向他端側に向けて鉤形に突出した抜止係合部とを備えている。
【０００４】
これにより、首輪をペットの首に簡単に装着することができ、装着された首輪は、ペット側から首輪本体が径方向に広がるように力を受けると、抜止係合部が係止孔よりも首輪本体の他端側にずれた位置になって、抜止係合部が係止孔１１から抜脱しないように抜け止めされる。
【０００５】
【発明が解決しようとする課題】
しかしながら、前記従来の首輪は、犬が暴れたり、不用意な動きをすると前記フック部材が前記係止孔から抜けてしまい、首輪の外れる恐れがあった。
【０００６】
そこで、本発明は、犬が暴れたり、不用意な動きをしても、外れることのない係止部材を備えたペット用首輪を提供することを目的とする。
【０００７】
【課題を解決するための手段】
請求項１記載の発明は、上記課題を解決するため、ペットの首に巻き付けられる調整バンドと、この調整バンドの一端側に設けられた係止部材と、この係止部材近傍に位置する折返し端部に配設されて散歩などの際に使用される引き紐の端部に設けられた結合フックと連結される連結環と、前記調整バンドの他端側に設けられて前記係止部材が挿入係止される係止孔とを備え、前記係止部材は、前記係止孔から突出する部分が回動自在に配設され、かつ、この突出する部分が挿入位置と、係止位置とで係止自在とするとともに、前記連結環には、連結された前記結合フックの遊動域を制限する規制部材を設けたことを要旨とするペット用首輪である。
【０００８】
つまり、係止部材を係止孔に挿入し、係止部材の係止孔から突出した部分を挿入位置から係止位置に回転させることで係止部材と係止孔との係合を保持するため、ペットが暴れたり、不用意な動きをしても首輪がはずれることはない。また、規制部材が結合フックの遊動範囲を制限することで、ペットが暴れたり、不用意な動きをしても引き紐が絡まったり、結合フックが連結環からはずれることを防止する。
【０００９】
【００１０】
【００１１】
請求項２記載の発明は、請求項１記載のペット用首輪であって、前記係止孔を前記調整バンドの長手方向に複数備え、これら各係止孔はそれぞれが同一形状であることを要旨とするペット用首輪である。
【００１２】
つまり、同一形状の係止孔を複数設けることで、首輪を様々な太さの首にはめることが可能になる。
【００１３】
【発明の実施の形態】
次に図面を参照して本発明の実施形態を詳細に説明する。
【００１４】
図１〜３は、本発明を適用した第１実施形態の首輪をペットの首に巻いた状態から、首輪の係止が完了するまでを示した斜視図である。図４は、第１実施形態の首輪を広げた状態の平面図である。図５は、第１実施形態の首輪を犬に装着して、散歩をしている状態を示した図である。図６は、本発明の係止孔と係止部材との係合状態を示した図である。図７は、本発明を適用した第２実施形態の首輪を拡げた平面図である。
【００１５】
図１〜３に示される本実施形態の首輪１は、ペットの首に巻き付ける調整バンド１０と、この調整バンド１０の一端の長手方向に複数の係止孔１１と、調整バンド１０の他端に係止孔１１とＡの方向から挿入係合する係止部材２０と、散歩などの際に使用される一方の端部に結合フック５１（図５に図示）を備えた引き紐５０（図５に図示）の結合フック５１と連結する連結環３０とを備えている。なお図１は、調整バンド１０をペットの首に巻き付けた状態を示している。
【００１６】
複数の係止孔１１はそれぞれが同一形状の長孔である。
【００１７】
係止部材２０は、２１の回転係止部と、２２の突設部と、２３の基部とからなっている。係止部材２０は、基部２３で調整バンド１０に固定されている。突設部２２は調整バンド１０とほぼ同じ厚さを持ち、調整バンド１０をペットの首に巻いた際に、外周面に配置されるように基部２３に突設されている。回転係止部２１は突設部２２の端部に位置し、Ｂの方向に回転自在に配設されている。さらに、図１で回転係止部２１は挿入位置に保持され、係止孔１１に挿入しやすいように突設部２２と同じ向きを向いている。
【００１８】
調整バンド１０の他端に設けられた連結環３０は、３１の規制部材と、３２の係合部と、３３の取付軸とを備え、Ｃの方向に揺動自在に、調整バンド１０の折返し端部１４に配設されている。
【００１９】
調整バンド１０の末端を取付軸３３を中に入れて折り返し、この折返し端部１４を鋲１５で固定している。
【００２０】
また、係止部材２０は係止孔１１の１つに、ほぼ隙間なく挿通し、突設部２２が調整バンドとほぼ同じ厚さなので、回転係止部２１だけが係止孔１１から突き出ている。この状態を示したものが図２である。このままでは、回転係止部２１が挿入位置にあるため、ペットが動いただけで、係止部材が係止孔１１からはずれ、首輪が脱落してしまう。
【００２１】
そこで、係止部材２０が係止孔１１からはずれないように、回転係止部２１を係止位置まで回転させる。この状態を示したのが図３である。回転係止部２１が係止位置にくると、係止孔を係止部材からはずそうとしても回転係止部２１が阻止するため、係止孔がはずれることはない。また、本実施形態では、係止部材２０が係止孔１１に、ほぼ隙間なく挿通しているため、係止部材２０と係止孔１１との間でガタつくことがなく、さらに係止孔１１から係止部材２０がはずれにくい形状になっている。
【００２２】
なお、本発明のペット用首輪は、適当な係止位置を決めたあとで、係止するためにバンドを絞めたり、拡げたりする行程がないため、必要以上に首輪が絞まったり、弛んだりすることがない。
【００２３】
図５は、ペットに首輪１を装着し、首輪１の連結環３０に結合フック５１を連結した状態で引き紐５０を引きながら散歩をしている様子を示している。ここで、連結環３０は図１〜３に示すように、規制部材３１を備えているために、散歩中にペットが暴れたり、不用意な動きによって結合フック５１がはずれたり、絡まったりすることがない。
【００２４】
図４は、本実施形態の首輪を広げた状態の平面図で（ａ）は正面図、（ｂ）は側面図、（ｃ）は背面図である。調整バンド１０の中央部に配設されている識別部４０は、識別帯４１と、識別帯４１を調整バンド１０に固定する鋲４２からなっている。鋲４２は着脱が可能で、断面形状が略Ｃ字形状、または矩形形状の個体識別標（不図示）に識別帯４１を挿入することで、個体識別標を装着することができる。個体識別標には、名前、飼い主の住所、連絡先などを記入することが可能である。
【００２５】
図７は、本発明を適用した第２実施形態の首輪を拡げた平面図である。第１実施形態との相違点は、連結環３０に設けられた規制部材を棒状部材から突起状部材に変更した点である。
【００２６】
第２実施形態の規制部材３１ａである２つの突起状部材が、連結環３０の内周部に突設されている。２つの規制部材３１ａは、その間隔を結合フック５１の幅と同程度として、結合フックの遊動域をなくすことも可能である。また、規制部材３１ａを連結環３０の外周部に設けても同様の効果が得られる。
【００２７】
なお、以上説明した実施形態は、本発明の理解を容易にするために記載されたものであって、本発明を限定するものではない。したがって、上記の実施形態に示された各要素は、本発明の技術範囲に属する全ての設計上の選択事項をも含む趣旨である。
【００２８】
たとえば、第１実施形態では、係止部材を１つとしていたが２つでも構わない。また、第１実施形態では係止孔を略長円形状の長孔としたが、アレイ形状の長孔でも同様の効果が得られる。さらに、第１実施形態では、連結環に直線状の規制部材を配設したが、曲線状でも結合フックの遊動域を所定の範囲内に制限することができれば何ら問題はない。
【００２９】
つまり、係止孔に係止部材の突設部がほぼ隙間無く挿入されてガタつきが無く、回転係止部を係止位置まで回転させることで係止部材と係止孔との係合を保持することが可能な係止孔、および係止部材の形状ならば、上記実施形態に何ら限定されるものではない。
【００３０】
さらに、連結環に配設された規制部材の形状が、引き紐の端部に備えられた結合フックの遊動域を所定の範囲内に制限することが可能ならば、上記実施形態の形状に何ら限定されるものではない。
【００３１】
【発明の効果】
請求項１記載の発明によれば、係止孔に係止部材を挿入し、回転係止部を係止位置まで回転させることで係止部材と係止孔との係合を保持することができるため、ペットが暴れたり、不用意な動きをしても首輪がはずれることはないという効果を奏する。
【００３２】
また、適当な係止位置を決めたあとで、係止するためにバンドを絞めたり、拡げたりする行程がないため、首輪が必要以上に絞まったり、弛んだりすることがないという効果も奏する。
【００３３】
さらに、結合フックの遊動範囲を規制部材によって制限することで、ペットが暴れたり、不用意な動きをしても引き紐が絡まったり、結合フックが連結環からはずれるのを防止するという効果を奏する。
【００３４】
請求項２記載の発明によれば、同一形状の係止孔を複数設けることで、首輪を様々な太さの首にはめることが可能になる。
【図面の簡単な説明】
【図１】本発明に係る第１実施形態を適用したペット用首輪がペットの首に巻かれた時の首輪の状態を示す斜視図である。
【図２】本発明に係る第１実施形態を適用したペット用首輪がペットの首に巻かれて、首輪の係止孔に係止部材が挿入された状態を示す斜視図である。
【図３】本発明に係る第１実施形態を適用したペット用首輪がペットの首に装着を完了した状態を示す斜視図である。
【図４】（ａ）は本発明に係る第１実施形態を適用したペット用首輪の構成を示す正面図で、（ｂ）は本発明に係る第１実施形態を適用したペット用首輪の構成を示す側面図で、（ｃ）は本発明に係る第１実施形態を適用したペット用首輪の構成を示す背面図である。
【図５】本発明に係る第１実施形態を適用したペット用首輪を犬に装着し、引き紐を結合して、散歩をしている状態を示した図である。
【図６】本発明に係る第１実施形態を適用したペット用首輪の係止部材２０と係止孔１１との係合状態を拡大して示した図である。
【図７】本発明に係る第２実施形態を適用したペット用首輪の構成を示す正面図である。
【符号の説明】
１ ペット用首輪
１０ 調整バンド
１１ 係止孔
２０ 係止部材
２１ 回転係止部
【図１】
0003832806.tif 000002
【図２】
0003832806.tif 000003
【図３】
0003832806.tif 000004
【図４】
0003832806.tif 000005
【図５】
0003832806.tif 000006
【図６】
0003832806.tif 000007
【図７】
0003832806.tif 000008